(57)【特許請求の範囲】
【請求項１】
次の構成を具備することを特徴とする衣服用ハンガーのフック取付構造。
(Ａ) ハンガー支持体に掛けられるフックが、フック主部と、このフック主部の下方に連設された軸部とから成り、ハンガー本体の中央部に上下方向に貫通する軸部挿通穴が設けられ、上記軸部がこの軸部挿通穴にスライド自在に挿通されることにより、フックが、上記ハンガー本体に対して、同本体からの上方突出量が大きくなる引き出し位置と上方突出量が小さくなる押し込み位置との間で移動可能に取付けられていること。
(Ｂ) 上記ハンガー本体およびフック軸部に、上記フックの引き出し位置で相当接してフックを上記引き出し位置に保持するストッパが設けられていること。
(Ｃ) 上記ハンガー本体に、フック押し込み位置でフック主部が嵌まり込む凹部が設けられていること。
(Ｄ)  上記ハンガー本体の下方に、ズボン等が掛けられる補助桟が、両端がハンガー本体の両端部に連なる状態で設けられ、この補助桟における上記軸部挿通穴に対向する部位に、フックの押し込み位置でフック側ストッパを含む軸部の下部が嵌入しうる軸部嵌入穴が設けられていること。
【請求項２】
請求項１記載の衣服用ハンガーのフック取付構造において、ハンガー本体側のストッパは、筒状でかつ周壁の一部が軸方向全長に亘って開放することにより径方向に弾性的に拡縮変形可能に形成され、同ストッパは、上記フックの軸部に対し相対的に軸方向スライド自在な状態で軸部径方向から嵌合された状態で上記軸部挿通穴内に弾性的に嵌着され、フック側のストッパは、フック軸部の下端部にフック軸部径方向に突出する状態で一体に設けられたことを特徴とする衣服用ハンガーのフック取付構造。
【発明の詳細な説明】
【０００１】
【発明の属する技術分野】
本発明は衣服用ハンガーのフック取付構造に関するものである。
【０００２】
【従来の技術】
従来、衣服用ハンガーのフックは、ねじ込み、加熱圧入、ワッシャ止め等種々の方法によってハンガー本体に取付けられているが、いずれもハンガー本体に対して軸方向に固定されている。
【０００３】
一方、ハンガーは、不使用時（衣服を外したとき）に使用時の状態のままハンガー支持体に掛けておくと、ハンガー支持体から水平方向に大きく出っ張るため、とくに室内に露出して置かれたハンガースタンドに掛けられるハンガーの場合、場所を取って歩行等の邪魔になり、かつ、室内スペースが狭められる。
【０００４】
そこで、ハンガーを小スペースにコンパクトに収納する方法として、
(i)  ハンガーをハンガー支持体から外し、これが複数ある場合は積み重ねた状態で、邪魔にならない場所（たとえばタンスの中や上）に収納する方法、
(ii)  ハンガー本体の下方にズボンやスカート等が掛けられる補助桟が設けられて全体として三角形に形成されたハンガーの場合には、両側角部の一方をハンガー支持体に掛けることにより、ハンガーを水平方向の出っ張りが小さくなる縦姿勢で収納する方法
のいずれかをとることができる。
【０００５】
【発明が解決しようとする課題】
ところが、上記(i)(ii)のいずれの方法によっても、フックがハンガー本体から大きく突出しているため、このフックによって収納状態でのハンガーの占有スペースが大きくなり、ハンガーを小スペースにコンパクトに収納するという所期の目的は十分には達成できない。
【０００６】
なお、フックを、ハンガー本体からの突出量が小さい状態でハンガー本体に取付けることが考えられるが、こうすると肝腎のハンガー使用時にフックをハンガー支持体に掛け難くなる等、使い勝手が悪くなる。
【０００７】
そこで本発明は、ハンガー使用時には十分なフック突出量を確保して使い易く、しかも不使用時にはフックの占有スペースを小さくしてハンガーをコンパクトに収納することができる衣服用ハンガーのフック取付構造を提供するものである。
【０００８】
【課題を解決するための手段】
請求項１の発明は、次の構成を具備するものである。
【０００９】
(Ａ) ハンガー支持体に掛けられるフックが、フック主部と、このフック主部の下方に連設された軸部とから成り、ハンガー本体の中央部に上下方向に貫通する軸部挿通穴が設けられ、上記軸部がこの軸部挿通穴にスライド自在に挿通されることにより、フックが、上記ハンガー本体に対して、同本体からの上方突出量が大きくなる引き出し位置と上方突出量が小さくなる押し込み位置との間で移動可能に取付けられていること。
【００１０】
(Ｂ) 上記ハンガー本体およびフック軸部に、上記フックの引き出し位置で相当接してフックを上記引き出し位置に保持するストッパが設けられていること。
【００１１】
(Ｃ) 上記ハンガー本体に、フック押し込み位置でフック主部が嵌まり込む凹部が設けられていること。
【００１２】
(Ｄ)  上記ハンガー本体の下方に、ズボン等が掛けられる補助桟が、両端がハンガー本体の両端部に連なる状態で設けられ、この補助桟における上記軸部挿通穴に対向する部位に、フックの押し込み位置でフック側ストッパを含む軸部の下部が嵌入しうる軸部嵌入穴が設けられていること。
【００１３】
請求項２の発明は、請求項１の構成において、ハンガー本体側のストッパは、筒状でかつ周壁の一部が軸方向全長に亘って開放することにより径方向に弾性的に拡縮変形可能に形成され、同ストッパは、上記フックの軸部に対し相対的に軸方向スライド自在な状態で軸部径方向から嵌合された状態で上記軸部挿通穴内に弾性的に嵌着され、フック側のストッパは、フック軸部の下端部にフック軸部径方向に突出する状態で一体に設けられたものである。
【００１４】
上記構成によると、フックを、使用時には上方突出量が大きくなる引き出し位置にセットし、不使用時には上方突出量が小さくかつフック主部がハンガー本体の凹部に嵌まり込む押し込み位置にセットすることにより、使い易く、しかもハンガーの不使用時にはフックの占有スペースを小さくしてハンガーをコンパクトに収納することができる。
【００１５】
しかも、フック押し込み位置でフック軸部を補助桟の軸部嵌入穴に嵌入させるため、このフック軸部、ひいてはフック全体がぐらついたり、軸部挿通穴の周壁に無理な力が作用したりするおそれがない。
【００１６】
また、フック押し込み時に補助桟がフック軸部の移動の邪魔にならないことで、軸部の長さを十分長くとることができるため、ハンガー使用時にフックをハンガー本体上方に十分大きく引き出すことができる。
【００１７】
請求項２の構成によると、フックの軸部を軸部挿通穴に挿通させた状態で、ハンガー本体側のストッパを、その径方向の弾性変形を利用して軸部の挿通端側に径方向から嵌合させた後、軸部挿通穴内に押し込むことによって取付けることができる。
【００１８】
すなわち、フック側のストッパを軸部と別体に成形して軸部下端にねじ込む方式や、組立段階で軸部の下端を球状等に加工してフック側ストッパを形成する方式をとった場合と比較して、フックの加工、取付けが簡単となり、かつ、美観上もすぐれたものとなる。
【００１９】
【発明の実施の形態】
本発明の実施形態を図によって説明する。
【００２０】
この実施形態では、衣服用ハンガーをハンガースタンドに掛けて使用し、不使用時にはハンガーを縦姿勢で同スタンドに掛けて収納する構成をとっている。
【００２１】
図１〜図５にハンガーＨ、図６，７に複数のこのハンガーＨ…を使用時にハンガースタンドＳに掛けた状態、図８，９に同ハンガーＨ…を不使用時にハンガースタンドＳに掛けた状態をそれぞれ示している。
【００２２】
このハンガーＨは、衣服Ｗ（図７に示す）の両肩部が掛けられるハンガー本体１の中央部に、本発明が適用されるメインフック２が垂直に設けられるとともに、ハンガー本体１の下方に、ズボンやスカート等が掛けられるほぼ水平な補助桟３が設けられて成っている。
【００２３】
また、ハンガー本体１の両端部は、図１，２に示すハンガー使用状態での下向きかつ内向きに円弧状に屈曲成形され、これにより不使用時用フックであるサブフック部４，４が形成されている。
【００２４】
補助桟３は、両端が立ち上がってサブフック部４，４の付け根部分でハンガー本体１に連なる状態で同本体１と一体に形成され、この補助桟３の形状および両側サブフック部４，４の形状を含めてハンガーＨ全体がメインフック２を中心として左右対称に構成されている。
【００２５】
なお、この補助桟３の上面には、掛けられたズボン等の滑り止め用の複数の小凹部３ａ…が左右一定間隔置きに設けられている。
【００２６】
メインフック２は次のように取付られている。
【００２７】
メインフック２は、円弧状に屈曲形成されたフック主部５と、このフック主部５の下方に一体に連設された垂直な軸部６とから成り、この軸部６の下端に軸部径よりも直径が大きい球状のストッパ部６ａが一体に設けられている。
【００２８】
ハンガー本体１には、中央部の上面側および下面側にそれぞれ凸部７，８が設けられるとともに、この両側凸部７，８を含む本体中央部全体を上下方向に貫通する軸部挿通穴９が設けられている。
【００２９】
この軸部挿通穴９は、下部径が上部径よりも大きい段穴状に形成され、大径側の挿通穴下部に弾性材料（たとえばナイロン等のプラスチック）から成る筒状のストッパ１０が嵌着されている。
【００３０】
ここで、フック側ストッパ部６ａの直径寸法Ｄ１（図２に示す）と、ストッパ１０の内径寸法Ｄ２、軸部挿通穴９の上部径寸法Ｄ３の関係は、
Ｄ２＜Ｄ１＜Ｄ３
に設定されている。
【００３１】
メインフック２の軸部６は、軸部挿通穴９およびストッパ１０の内空部を貫通して上下方向にスライド自在に挿通され、ストッパ部６ａがストッパ１０の下面に当接して上限スライド位置が規制される。
【００３２】
こうして、メインフック２が、図１，２に示すようにハンガー本体１からの上方突出量が大きくなる使用時の引き出し位置と、図３，４に示すように同突出量が小さくなる不使用時の押し込み位置との間で移動しうるようになっている。
【００３３】
また、補助桟３の中央部に、軸部嵌入穴１１が軸部挿通穴９と同軸配置で設けられ、図３，４に示すようにメインフック２の押し込み位置で、ストッパ部６ａを含む軸部６の下部がこの軸部嵌入穴１１に嵌まり込むようになっている。
【００３４】
ストッパ１０は、図５に示すように周壁の一部が軸方向全長に亘って開放することによって径方向に弾性的に拡縮変形可能に形成され、
（イ）メインフック軸部６を軸部挿通穴９に挿通させた状態で、
（ロ）ストッパ１０をこの軸部６の挿通端側に径方向から嵌合させた後、図５矢印で示すように軸部６に沿って軸部挿通穴９に下方から押し込む
ことによって同ストッパ１０が軸部挿通穴９内に取付けられる。
【００３５】
このメインフック取付構造によると、メインフック２を使用時の引き出し位置と不使用時の押し込み位置との間でスライド自在に取付けるための他の取付構造、たとえば、
(I)  ストッパ部６ａを軸部６と別体の球体として形成し、軸部６ａを軸部挿通穴９に通した後、その下端部にストッパ部６ａをねじ込む構造、
(II)  ストッパ部６ａ無しの軸部６を軸部挿通穴９に通した後、その挿通端部を球状等に加工してストッパ部６ａを形成する構造
をとった場合と比較して、メインフック２の加工、取付けが簡単で、かつ、美観上もすぐれたものとなる。
【００３６】
一方、ハンガー本体１の中央部が下向き円弧状に屈曲成形されることによって凹部１２が形成され、図３，４に示すようにメインフック２の押し込み位置でフック主部５の下部がこの凹部１２に嵌まり込むようになっている。
【００３７】
ハンガースタンドＳは、下端に脚体１３を備えた自立可能な支柱１４の上端に、四周が閉じた横長楕円形のハンガー掛け部１５が横向き水平に設けられて成り、このハンガー掛け部１５の下辺部１５ａに複数のハンガーＨ…が、通常の使用時には図６，７に示すようにメインフック２によって、不使用時には図８，９に示すように一方のサブフック部４によってそれぞれ掛けられる。
【００３８】
このハンガー掛け部１５の下辺部１５ａは、上面に複数の下向き円弧状のフック掛け凹部１６…を備えた波形に形成され、このフック掛け凹部１６…によってメインフック２またはサブフック部４の水平方向のずれ動きが防止される。
【００３９】
図６，８中、１７はハンガー掛け部１５に下辺部１５ａと逆向きに突設された補助ハンガー掛け部で、この補助ハンガー掛け部１７にもハンガーＨを使用時および不使用時に掛けることができる。
【００４０】
このハンガーＨは、上記のように通常の使用時には図６，７に示すようにメインフック２によってハンガースタンドＳのハンガー掛け部１５に掛けられ、衣服Ｗを吊持する。
【００４１】
一方、衣服Ｗを外した不使用時には、このハンガーＨは、図８，９に示すようにサブフック部４によってハンガー掛け部１５に縦姿勢でコンパクトに収納することができる。
【００４２】
この不使用ハンガーＨの収納時に、図３，４，９に示すようにメインフック２を押し込み位置に移動させることにより、このメインフック２のハンガー本体１からの突出量を小さくし、同フック２が歩行等の邪魔にならず、かつ、同フック２の占有スペースが小さくなる最もコンパクトな状態でハンガーＨを収納することができる。
【００４３】
しかも、この場合、フック主部５がハンガー本体１の凹部１２に嵌まり込んで同フック２の突出量がさらに小さくなり、よりコンパクトに収納することができる。
【００４４】
また、このメインフック押し込み状態で、ストッパ部６ａを含む軸部６の下部が軸部嵌入穴１１に嵌まり込むことによって軸部６、ひいてはメインフック２全体がぐらついたり、軸部挿通穴９の周壁部分に無理な力が作用したりするおそれがない。
【００４５】
さらに、補助桟３を備えたハンガーＨにおいて、メインフック押し込み時に補助桟３が軸部６の移動の邪魔にならないことで、軸部６の長さを長くとることができるため、ハンガー使用時のメインフック２の上方突出量を十分大きくしてより使い易くすることができる。
【００４６】
他の実施形態
（１）上記実施形態において、補助桟３の軸部嵌入穴１１の周面に、メインフック２を押し込み位置にセットしたときにストッパ部６ａの外周面に弾性的に接触して軸部６の動きを拘束する凸部を設け、この凸部による拘束作用によってメインフック２を押し込み位置に保持する構成をとってもよい。
【００４７】
（２）フックを引き出し位置に保持するストッパ構造の他の例として、フック軸部の下端部にねじまたはワッシャ溝を設け、この軸部を軸部挿通穴に挿通させた後、球状等に形成した別体のストッパを上記下端ねじ部にねじ込み、または上記ワッシャ溝にワッシャ（ストッパ）を装着する構成をとってもよい。
【００４８】
あるいは、フック軸部を軸部挿通穴に挿通させた後、その挿通端部を折り曲げまたは圧潰してフック側ストッパを形成してもよい。
【００４９】
この場合、フック側ストッパは軸部挿通穴の下縁部に当接させればよいため、上記実施形態のストッパ１０は不要となる。
【００５０】
【発明の効果】
上記のように本発明によるときは、フックを、フック主部と軸部とによって構成し、このフックの軸部を、ハンガー本体に設けた軸部挿通穴に上下スライド自在に挿通させることにより、フックを、上方突出量が大きくなる引き出し位置と同突出量が小さくなる押し込み位置との間で移動可能に構成し、かつ、フック押し込み位置でフック主部がハンガー本体の凹部に嵌まり込む構成としたから、フックを、使用時には引き出し位置に、不使用時には押し込み位置にそれぞれセットすることにより、ハンガー使用時には十分なフック突出量を確保して使い易く、しかもハンガー不使用時にはフックの占有スペースを小さくしてハンガーをコンパクトに収納することができる。
【００５１】
しかも、フック押し込み位置でフック軸部を補助桟の軸部嵌入穴に嵌入させるため、このフック軸部、ひいてはフック全体がぐらついたり、軸部挿通穴の周壁に無理な力が作用したりするおそれがない。
【００５２】
また、フック押し込み時に補助桟がフック軸部の移動の邪魔にならないことで、軸部の長さを十分長くとることができるため、ハンガー使用時にフックをハンガー本体上方に十分大きく引き出すことができる。
【００５３】
請求項２の発明によると、ハンガー本体側のストッパを筒状でかつ周壁一部が開放することにより径方向に弾性的に拡縮変形可能に形成し、同ストッパをフック軸部に径方向から嵌合させて軸部挿通穴内に取付けるようにしたから、フックの加工、取付けが簡単となり、かつ、美観上もすぐれたものとなる。
【図面の簡単な説明】
【図１】  本発明の実施形態にかかる衣服用ハンガーの使用時の状態を示す正面図である。
【図２】  図１のII−II線拡大断面図である。
【図３】  同ハンガーの不使用時の状態を示す正面図である。
【図４】  図３のIV−IV線拡大断面図である。
【図５】  同ハンガーのメインフック取付構造を示す部分斜視図である。
【図６】  同ハンガーを使用時にハンガースタンドに掛けた状態を示す側面図である。
【図７】  図６のVII−VII線断面図である。
【図８】  同ハンガーを不使用時にハンガースタンドに掛けた状態を示す側面図である。
【図９】  図８のIX−IX線断面図である。
【符号の説明】
Ｈ  ハンガー
１  ハンガー本体
２  メインフック（フック）
５  フック主部
６  軸部
６ａ  ストッパ部（フック側ストッパ）
９  軸部挿通穴
１０  ストッパ（ハンガー本体側のストッパ）
３  補助桟
１１  軸部嵌入穴
１２  フック主部が嵌まり込む凹部
【図１】
0003848736.tif 000002
【図２】
0003848736.tif 000003
【図３】
0003848736.tif 000004
【図４】
0003848736.tif 000005
【図５】
0003848736.tif 000006
【図６】
0003848736.tif 000007
【図７】
0003848736.tif 000008
【図８】
0003848736.tif 000009
【図９】
0003848736.tif 000010